(57)【要約】【課題】本体に回動自在に取り付けたカメラのカメラホルダー内にカメラモジュール、コネクターなどを配した構成において、カメラモジュールとコネクターの配置状態を確実に保持するカメラ付き通信端末装置を提供する。【解決手段】カメラモジュール４１３の後面とカメラホルダー４０１内壁との間にクッション材４１６を介挿してカメラモジュール４１３に接続されたコネクター４１７を配置し、コネクター４１７にフレキシブル・プリント回路基板４０５の一端を接続し、フレキシブル・プリント回路基板４０５の他端を本体２０の回路基板に接続して構成した。【選択図】図６
2011154185.tif 000002
【特許請求の範囲】
【請求項１】
情報信号の処理と送受信を実行する処理回路と操作部を有する本体に回動自在にカメラが取付けられ、該カメラのカメラホルダー内にカメラモジュールが配され、該カメラモジュールと該本体側の回路基板との間をフレキシブル・プリント回路基板によって電気的に接続してなるカメラ付き通信端末装置であって、
前記カメラモジュールの後面と前記カメラホルダー内壁との間にクッション材を介挿して該カメラモジュールに接続されたコネクターを配置し、該コネクターに前記フレキシブル・プリント回路基板の一端を接続し、該フレキシブル・プリント回路基板の他端を前記本体側の回路基板に接続して構成したことを特徴とするカメラ付き通信端末装置。
【請求項２】
前記カメラホルダーは、固定ねじによって一体化される前ホルダーと後ホルダーとからなり、該前ホルダーと後ホルダーとによって形成された空間部と、前記カメラモジュールが該空間部から挿入して装着される貫通孔とを有し、
前記コネクターは、互いに前記カメラモジュールの光軸方向と同方向に偏倚して接離するカメラ側コネクターと本体側コネクターとからなり、
前記カメラ側コネクターは、前記カメラモジュールと前記クッション材を迂回して配されたカメラモジュール側フレキシブル・プリント回路基板によって接続され、
前記本体側コネクターには、前記本体側の回路基板に接続された前記フレキシブル・プリント回路基板が接続されて構成されていることを特徴とする請求項１に記載のカメラ付き通信端末装置。
【発明の詳細な説明】
【技術分野】
【０００１】
本発明は、情報信号の処理と送受信を実行する処理回路と操作部などを有する本体にカメラが回動自在に取り付けられ、カメラのカメラホルダー内にカメラモジュールが配され、カメラモジュールと本体側回路基板との間をフレキシブル・プリント回路基板によって電気的に接続してなるカメラ付き通信端末装置に関するものである。
【背景技術】
【０００２】
近年、携帯電話機は通信、電子メール、インターネットへのアクセスなどが可能となっている。即ち、多機能化された通信端末装置として活用されている。しかも、撮影用のカメラを有し、送信者、背景、物品などの被写体を撮影して画像信号を記録及び送信する機能を有するものが商品化されている。このような傾向は、携帯電話のみならず、企業や一般加入者が宅内に設置する宅内電話機においても同様である。特に最近では宅内電話機をＩＰ電話として用いることもあり、それらの電話機には送話者、受話者の動画像を相互に送受信できるように撮像用のカメラユニットが備えられるようになってきている。
【０００３】
この種の撮影カメラを有する携帯電話機としては、例えば、下記の特許文献１（特開２００１−２４５２６７号公報）に示す従来技術が提案されている。この従来の携帯電話機は、携帯電話機の本体上部にカメラ・レシーバユニットを垂直な軸を中心に回転可能に取り付けたものである。従って、操作キー、表示部などを配した面にカメラを向けて話者である自分を撮影するテレビ電話機として使用し、カメラを１８０度回転させて後方に存在する被写体を撮影してビデオカメラとして使用することができる。
【０００４】
その具体的な構成は以下の通りである。カメラ・レシーバユニットのケース正面側内部には、係止部によりカメラユニットプリント基板が係止されている。カメラユニットプリント基板上にはレンズ系と撮像素子とを有するカメラユニットが搭載されている。そして、カメラユニットの正面側の先端とカメラ・レシーバユニットケースの内壁面との間にカメラクッションが介挿されている。さらに、カメラクッションの前方には透明樹脂からなるパネルが配設されている。
【０００５】
カメラ・レシーバユニットに搭載されたカメラユニットは、本体に設けられた本体プリント基板と電気的に接続される必要がある。その具体的な構成は、カメラ・レシーバユニットケースを本体に垂直方向に回転自在に取り付けられた軸が中空状に形成され、この空洞中にカメラユニットと本体プリント基板とを接続するＦＰＣ（フレキシブル・プリント回路基板）が通っている。即ち、本体プリント基板に接続されたＦＰＣコネクターとカメラユニットプリント基板に接続されたＦＰＣコネクタとを両端に備えたＦＰＣが軸内の空洞を通っている。
【０００６】
上述したように従来のカメラを有する携帯電話機は、本体に回転自在に設けられたカメラがそのカメラユニットとカメラ・レシーバケースとの間にクッション材を介挿した構成を有している。
【先行技術文献】
【特許文献】
【０００７】
【特許文献１】特開２００１−２４５２６７号公報（段落００１３、段落００１５、段落００１８、段落００１９、図３〜図５）
【発明の概要】
【発明が解決しようとする課題】
【０００８】
しかしながら、上記特許文献１に開示された、従来のカメラを有する携帯電話機においては、コネクター部分が振動、衝撃などの外力の影響を受けることによって接触不良を発生するという問題があった。
【０００９】
従って、本発明は、上記の問題点を解消することを課題とし、簡単な構成でカメラ部分の部品を確実に保持すると共に、コネクター部分における電気的な接触不良を生じないカメラ付き通信端末装置を提供することを目的とするものである。
【課題を解決するための手段】
【００１０】
前記課題を解決するために、本願の請求項１に係るカメラ付き通信端末装置の発明は、情報信号の処理と送受信を実行する処理回路と操作部を有する本体に回動自在にカメラが取付けられ、該カメラのカメラホルダー内にカメラモジュールが配され、該カメラモジュールと該本体側の回路基板との間をフレキシブル・プリント回路基板によって電気的に接続してなるカメラ付き通信端末装置であって、前記カメラモジュールの後面と前記カメラホルダー内壁との間にクッション材を介挿して該カメラモジュールに接続されたコネクターを配置し、該コネクターに前記フレキシブル・プリント回路基板の一端を接続し、該フレキシブル・プリント回路基板の他端を前記本体側の回路基板に接続して構成したことを特徴とする。
【００１１】
また、本願の請求項２に係る発明においては、請求項１にかかる発明において、前記カメラホルダーは、固定ねじによって一体化される前ホルダーと後ホルダーとからなり、該前ホルダーと後ホルダーとによって形成された空間部と、前記カメラモジュールが該空間部から挿入して装着される貫通孔とを有し、前記コネクターは、互いに前記カメラモジュールの光軸方向と同方向に偏倚して接離するカメラ側コネクターと本体側コネクターとからなり、前記カメラ側コネクターは、前記カメラモジュールと前記クッション材を迂回して配されたカメラモジュール側フレキシブル・プリント回路基板によって接続され、前記本体側コネクターには、前記本体側の回路基板に接続された前記フレキシブル・プリント回路基板が接続されて構成されていることを特徴とする。
【発明の効果】
【００１２】
本発明のカメラ付き通信端末装置は、次に示すような優れた効果を奏する。
【００１３】
即ち、請求項１に係る発明においては、カメラモジュールの後面とカメラホルダーの内壁との間にクッション材を介挿して該カメラモジュールに接続されたコネクターを配置したので、単一のクッション材でもってカメラモジュールとコネクターを弾性力で押圧できる。従って、簡単な構成でカメラモジュール、コネクターをがたつきのない状態で保持すると共に、コネクターに対する振動、衝撃などの外力の影響が緩和されてコネクター部分の接触状態を確実に維持するカメラ付き通信端末装置を提供できる。
【００１４】
また、請求項２に係る発明においては、請求項１に係る発明において、カメラホルダーは、前ホルダーと後ホルダーとからなる空間部を有し、前ホルダーは空間部からカメラモジュールが装着される貫通孔を有し、コネクターは互いにカメラモジュールの光軸方向と同方向に沿って偏倚して接離するカメラ側コネクターと本体側コネクターとからなっている。そして、カメラ側コネクターはカメラモジュールとクッション材を迂回して配されたカメラモジュール側フレキシブル・プリント回路基板によって接続され、本体側コネクターにはフレキシブル・プリント回路基板によって本体側の回路基板に接続されている。
【００１５】
このような構成によれば、カメラホルダーの貫通孔内にカメラモジュールを装着し、カメラモジュール後面にクッション材を介してコネクターを配置し、コネクターにフレキシブル・プリント回路基板の一端を接続し、前方ホルダーと後方ホルダーとを一体化することにより、カメラモジュールとコネクターとをクッション材で押圧してカメラホルダー内に組み込むことができる。そのため、組み込み作業が各部品を重ねるだけの簡単な方法で確実に行うことができる効果を有する。
【００１６】
また、前ホルダーと後ホルダーからなる軸に空間部を設け、軸の空間部内でカメラ用フレキシブル・回路基板の折り曲げを行うものであるから、カメラを回転させる際に操作するカメラホルダーの操作部の幅を小さくすることが出来る。
【００１７】
また、コネクターは、カメラ側コネクターと本体側コネクターとが接続される方向にクッション材によって押圧されているので、振動、衝撃などの外力によりカメラ側コネクターと本体側コネクターの接続状態が外れてしまうことを確実に防止できる。
【図面の簡単な説明】
【００１８】
【図１】本発明の一実施例に係るカメラ付き通信端末装置の正面図である。
【図２】図１におけるカメラ付き通信端末装置の前面パネルを取り除いて前面上部を部分的に示した正面図である。
【図３】図１におけるカメラが配置されている本体部分を前面方向から見た斜視図である。
【図４】図１におけるカメラが配置されている本体部分を後面方向から見た斜視図である。
【図５】図２におけるカメラを示す正面図である。
【図６】図５におけるカメラをＡ−Ａ線で切断した断面図である。
【図７】図５におけるカメラをＢ−Ｂ線で切断した断面図である。
【図８】図５におけるカメラの後ホルダーを示す斜視図である。
【図９】図２におけるカメラと回転支持部との部分において、カメラが上向きに回動位置された状態を示す斜視図である。
【図１０】図２におけるカメラと回転支持部との部分において、カメラが下向きに回動位置された状態を示す斜視図である。
【発明を実施するための形態】
【００１９】
以下、本発明の具体例を実施例及び図面を用いて詳細に説明する。但し、以下に示す実施例は、本発明の技術的思想を具体化するためのカメラ付き通信端末装置を例示するものであって、本発明をこのカメラ付き通信端末装置に特定することを意図するものでなく、特許請求の範囲に含まれるその他の実施形態のカメラ付き通信端末装置にも等しく適用し得るものである。
【実施例】
【００２０】
図１は本発明の一実施例に係るカメラ付き通信端末装置の正面図であり、図２は図１におけるカメラ付き通信端末装置の前面パネルを取り除いて前面上部を示した正面図である。
【００２１】
本実施例に係るカメラ付き通信端末装置１０はカメラ付き電話機に適用されたものであり、図１で示すように、本体２０とスタンド３０とからなっている。本体２０の前面上部にはカメラ４０が配置されている。本体２０の前面中央には液晶表示パネルからなる表示部２０１、下方には各種の操作キーを配した操作部２０２、左方には通話用のハンドセット２０３が夫々配置されている。また、本体２０は全体的に筐体２０４と前面パネル２０５によって構成されており、その内部には情報信号の処理と送受信を実行する処理回路、電源回路などの各種部品、部材が内蔵されている。
【００２２】
図２に示すように、本体２０の前面上縁寄りには、カメラ４０が筐体２０４に取り付けられている。カメラ４０は円筒状のカメラホルダー４０１と、カメラホルダー４０１の両側に突出して設けられた軸４０２とからなる。筺体２０４には軸４０２を回転自在に軸支する軸支部５０が設けられている。即ち、カメラホルダー４０１は水平方向を回転中心軸として本体２０に回動自在に取り付けられている。また、カメラホルダー４０１には、レンズが前面に臨まされるカメラレンズ用孔４０３と、外周面に滑り止め用のローレット４０４（図４参照）とが形成されている。
【００２３】
カメラ４０の左方及び右方の筺体２０４には各種の部品、部材が配置されている。カメラ４０の左方にはマイクロホン６０が配置され、マイクロホン６０の左方には前面パネル嵌合部７０が配置され、前面パネル嵌合部７０の左方にはアンテナ固定部８０が配置されている。一方、カメラ４０の右方には電源表示用ＬＥＤ（Light Emitting Diode）９０とその基板９０１とが配置され、その右方には前面パネル嵌合部７０が形成されている。
【００２４】
図３、図４はカメラ４０が取り付けられている本体２０の外観を示す。これらの図で明らかなように、前面パネル２０５にカメラレンズ用孔４０３を臨ませる縦長状のカメラ用開口２０６が形成され、筺体２０４の上面２０４ａにカメラホルダー４０１の外周面に設けた滑り止め用のローレット４０４を露出させて回動操作を可能にした回動操作用開口２０７が形成されている。
【００２５】
図５はカメラ４０を示す正面図であり、カメラ４０は本体２０内に設けられたプリント回路基板（図示せず）との間を接続するフレキシブル・プリント回路基板４０５を備えている。このフレキシブル・プリント回路基板４０５は軸４０２に巻き付けられている。また、一方の軸４０２には、軸４０２を回転中心軸方向に沿って偏倚させて所定の位置に保持するための弾性材からなるＯリング４０６が装着されている。
【００２６】
図６、図７はカメラ４０を切断して内部を示す断面図であり、カメラホルダー４０１は、前ホルダー４０７と、後ホルダー４０８と、前ホルダー４０７と後ホルダー４０８とを一体化して固定するための固定用ねじ４０９と、前ホルダー４０７と後ホルダー４０８とによって形成される空間部４１０と、前ホルダー４０７に形成されたカメラレンズ用孔４０３に連なる貫通孔４１１とから構成されている。
【００２７】
貫通孔４１１は、図８で示すように、前の部分が円形でカメラレンズ用孔４０３となっており後ろの部分が矩形の穴であってその境界に係止用段部４１２を有し、係止用段部４１２が前ホルダー４０７の後方から挿入して装着される矩形のカメラモジュール４１３を係止するようになっている。
【００２８】
カメラホルダー４０１の空間部４１０内には、図６、図７で示すように、カメラモジュール４１３の後面と後ホルダー４０８の内壁４１４との間に、カメラ用フレキシブル・プリント回路基板４１５と、クッション材４１６と、コネクター４１７が順に積層されて配さている。この積層状態では、クッション材４１６が圧縮されて介挿されコネクター４１７が内壁４１４に弾性力によって当接されている。
【００２９】
このように、前ホルダー４０７と後ホルダー４０８で形成される軸内に空間部を設け、この空間部内でカメラ用フレキシブル・回路基板４１５の折り曲げを行うものであるから、カメラを回転させる際に操作するカメラホルダーの操作部の幅、すなわち、カメラホルダー４０１の外周面に設けた滑り止め用のローレット４０４（図４参照）の幅を小さくすることが出来る。
【００３０】
また、カメラ用フレキシブル・プリント回路基板４１５は、一端がカメラモジュール４１３に接続されクッション材４１６を迂回して他端がコネクター４１７に至るようになっている。コネクター４１７は、カメラ用フレキシブル・プリント回路基板４１５側のカメラ側コネクター４１７ａとフレキシブル・プリント回路基板４０５側の本体側コネクター４１７ｂとからなり、矢印Ｘで示すカメラモジュール４１３の光軸方向に変位して接続、離脱可能に構成されている。ここで、図示の状態ではカメラ側コネクター４１７ａと本体側コネクター４１７ｂとが接続された状態を示す。
【００３１】
また、クッション材４１６は、一方の面がカメラモジュール４１３側のカメラ用フレキシブル・プリント回路基板４１５に接着され、他方の面がカメラ側コネクター４１７ａの背面に接着されている。即ち、カメラ用フレキシブル・プリント回路基板４１５とクッション材４１６とは接着されて積層状態でカメラモジュール４１３の後部に配置されている。
【００３２】
図９はカメラ４０が上向きに回動された状態を示し、図１０はカメラ４０が下方に回動された状態を示しているが、軸支部５０に回動範囲を規制するストッパー５０１が設けられている。
【００３３】
次に、上述した実施例のカメラ付き通信端末装置１０におけるカメラ４０の組み立て方法について説明する。
【００３４】
まず、カメラホルダー４０１は前ホルダー４０７と後ホルダー４０８とに分離する。一方、クッション材４１６は一方の面をカメラモジュール４１３側のカメラ用フレキシブル・プリント回路基板４１５に接着し、他方の面をカメラ側コネクター４１７ａの背面に接着する。即ち、カメラモジュール４１３の後部にカメラ用フレキシブル・プリント回路基板４１５とクッション材４１６とカメラ側コネクター４１７ａを重ねて配置する。
【００３５】
これら重ねられ積層状態で一体化されたカメラモジュール４１３、カメラ用フレキシブル・プリント回路基板４１５、クッション材４１６及びカメラ側コネクター４１７ａには、カメラ側コネクター４１７ａと本体側コネクター４１７ｂとを接続することにより、フレキシブル・プリント回路基板４０５を結合する。
【００３６】
そして、これら一体になったカメラモジュール４１３、カメラ用フレキシブル・プリント回路基板４１５、クッション材４１６及びコネクター４１７（カメラ側コネクター４１７ａと本体側コネクター４１７ｂ）をカメラホルダー４０１に装着する。この装着はカメラモジュール４１３を前ホルダー４０７の後方から貫通孔４１１に挿入し、その後、前ホルダー４０７と後ホルダー４０８とを一体にして固定用ねじ４０９で固定する。このとき、フレキシブル・プリント回路基板４０５をカメラホルダー４０１の外方に引き出して部分的に軸４０２に巻きつけた状態とする。
【００３７】
このようにしてカメラモジュール４１３、クッション材４１６、コネクター４１７などがカメラホルダー４０１内に組み込まれた状態では、カメラモジュール４１３が係止用段部４１２で係止され、カメラモジュール４１３の後面にクッション材４１６を介挿してコネクター４１７が配される。そして、コネクター４１７が内壁４１４に当接され、クッション材４１６が圧縮されてコネクター４１７とカメラモジュール４１３とを弾性的に押圧する。
【００３８】
上述した手順を踏んで組み立てられたカメラ４０は、軸４０２にＯリング４０６を装着して、軸４０２を軸支部５０に装着する。その結果、カメラ４０は筺体２０４の上部に回動自在に取り付けられる。その後、前面パネル２０５を前面パネル嵌合部７０でもって筺体２０４に取り付ける。
【００３９】
本体２０に取り付けられたカメラ４０は、図３、図４で示すように、前面のカメラ用開口２０６にカメラレンズ用孔４０３が臨まされ、上面２０４ａの回動操作用開口２０７にカメラホルダー４０１の外周面が部分的に露出される。その結果、回動操作用開口２０７に露出されたカメラホルダー４０１の外周面でもってカメラホルダー４０１を回動することにより、カメラレンズ用孔４０３を上向きと下向きとに可変して被写体に向けることができる。この可変範囲はストッパー５０１によって規制される（図９、図１０参照）。
【００４０】
従って、上述した本発明の実施例のカメラ付き情報端末装置１０によれば、カメラモジュール４１３の後面とカメラホルダー４０１の内壁４１４との間にクッション材４１６を介挿してカメラモジュール４１３に接続されたコネクター４１７を配置したので、単一のクッション材４１６でもってカメラモジュール４１３を係止用段部４１２に、コネクター４１７を内壁４１４に夫々弾性力で押圧することができる。そのため、カメラモジュール４１３をがたつきのない状態で保持すると共に、コネクター４１７が振動、衝撃などの外力の影響を受けることを緩和して確実な接続状態を維持する。
【００４１】
また、コネクター４１７は外部からの振動、衝撃を受けるだけでなく筺体２０４に回動して取り付けられたカメラホルダー４０１に設けられているため、フレキシブル・プリント回路基板４０５のよじれによる応力を受けやすい。しかし、この応力の影響はクッション材４１６によって緩和される。
【００４２】
特に、コネクター４１７は、カメラ側コネクター４１７ａと本体側コネクター４１７ｂとの接離方向となる矢印Ｘで示す方向にクッション材４１６によって押圧されているので、振動、衝撃などの外力によりカメラ側コネクター４１７ａと本体側コネクター４１７ｂの接続状態が外れてしまうことを確実に防止できる。
【００４３】
また、カメラホルダー４０１は、前ホルダー４０７と後ホルダー４０８とからなり空間部４１０を有し、前ホルダー４０７はカメラモジュール４１３が空間部４１０から装着される貫通孔４１１を有し、コネクター４１７は互いにカメラモジュール４１３の光軸方向と同方向に偏倚して接離するカメラ側コネクター４１７ａと本体側コネクター４１７ｂとからなっている。そして、カメラ側コネクター４１７ａはカメラモジュール４１３とクッション材４１６を迂回して配されたカメラモジュール側フレキシブル・プリント回路基板４１５によって接続され、本体側コネクター４１７ｂにはフレキシブル・プリント回路基板４０５によって本体側の回路基板に接続されている。
【００４４】
従って、カメラモジュール４１３の後面にクッション材４１６を介してコネクター４１７を配置し、コネクター４１７にフレキシブル・プリント回路基板４０５の一端を接続し、カメラホルダー４０１の貫通孔４１１内にカメラモジュール４１３を挿入し、前ホルダー４０７と後ホルダー４０８とを一体化することにより、カメラモジュール４１３とコネクター４１７とをクッション材４１６で押圧してカメラホルダー４０１内に組み込むことができる。即ち、組み込み作業が各部品を重ねて一体化した後にカメラモジュール４１３を貫通孔４１１に挿入するだけの簡単な方法で行うことができる。
【００４５】
一方、従来においては、がたつきを防止するためにカメラモジュール４１３、コネクター４１７及びカメラホルダー４０１などの寸法のばらつきを小さくしなければならず、部品同士を強く押えすぎて破損させてしまうという事故があった。しかし、本発明の実施例では、カメラモジュール４１３、コネクター４１７及びカメラホルダー４０１などはクッション材４１６によって弾性的に押圧されているので、これら部品の外形で位置決めを行うことができる。そのため、各部品の寸法にばらつきをもたせても、がたつきを生じないので、特に、小型化されたカメラ４０に適用して好適である。
【００４６】
なお、上記実施例においては、カメラ付き通信端末装置１０がスタンドを有する電話機に適用された場合について説明したが、本発明はこれに限定されることなく携帯電話機、各種情報処理のための電子機器などの各種の装置に適用できる。
【符号の説明】
【００４７】
１０・・・・カメラ付き通信端末装置
２０・・・・本体
３０・・・・スタンド
４０・・・・カメラ
５０・・・・軸支部
６０・・・・マイクロホン
７０・・・・前面パネル嵌合部
８０・・・・アンテナ固定部
９０・・・・電源表示用ＬＥＤ
２０１・・・表示部
２０２・・・操作部
２０３・・・ハンドセット
２０４・・・筺体
２０４ａ・・上面
２０５・・・前面パネル
２０６・・・カメラ用開口
２０７・・・回動操作用開口
４０１・・・カメラホルダー
４０２・・・軸
４０３・・・カメラレンズ用孔
４０４・・・ローレット
４０５・・・フレキシブル・プリント回路基板
４０６・・・Ｏリング
４０７・・・前ホルダー
４０８・・・後ホルダー
４０９・・・固定用ねじ
４１０・・・空間部
４１１・・・貫通孔
４１２・・・係止用段部
４１３・・・カメラモジュール
４１４・・・内壁
４１５・・・カメラ用フレキシブル・プリント回路基板
４１６・・・クッション材
４１７・・・コネクター
４１７ａ・・カメラ側コネクター
４１７ｂ・・本体側コネクター
５０１・・・ストッパー
【図１】
2011154185.tif 000003
【図２】
2011154185.tif 000004
【図３】
2011154185.tif 000005
【図４】
2011154185.tif 000006
【図５】
2011154185.tif 000007
【図６】
2011154185.tif 000008
【図７】
2011154185.tif 000009
【図８】
2011154185.tif 000010
【図９】
2011154185.tif 000011
【図１０】
2011154185.tif 000012